(57)【要約】【課題】製造コストの低減を図りつつ、虹斑や波模様の発生を好適に回避する。【解決手段】樹脂材料Ｒが一方の面１１に塗布された長尺帯状の支持体１０における樹脂材料Ｒの塗布面に空気を吹き付けて樹脂材料Ｒを乾燥させる第１乾燥装置４であって、長手方向に沿って走行状態の支持体１０における塗布面に対向するように配置されたエア吹出し部４２を備え、エア吹出し部４２は、塗布面に接する空間において支持体１０の走行方向における上流側に向かう気流（矢印Ｃの向きの気流）が生じるように空気を吹き出すことによって空気を塗布面に吹き付ける。【選択図】図２
2012215325.tif 000002
【特許請求の範囲】
【請求項１】
機能性膜形成用塗料が一方の面に塗布された長尺帯状の支持体における当該機能性膜形成用塗料の塗布面に気体を吹き付けて当該機能性膜形成用塗料を乾燥させる乾燥装置であって、
長手方向に沿って走行状態の前記支持体における前記塗布面に対向するように配置された気体吹出し部を備え、
前記気体吹出し部は、前記塗布面に接する空間において前記支持体の走行方向における上流側に向かう気流が生じるように前記気体を吹き出すことによって当該気体を当該塗布面に吹き付ける乾燥装置。
【請求項２】
請求項１記載の乾燥装置と、前記支持体を走行させる走行装置と、前記機能性膜形成用塗料を塗布する塗布装置とを備え、前記走行装置によって前記支持体を走行させている状態において、前記塗布装置によって当該支持体の前記一方の面に前記機能性膜形成用塗料を塗布すると共に、前記乾燥装置によって当該機能性膜形成用塗料を乾燥させることによって当該支持体の当該一方の面に機能性膜を形成する機能性膜形成システム。
【請求項３】
前記機能性膜形成用塗料としての光学膜形成用塗料を塗布して乾燥させることで前記機能性膜としての光学膜を形成可能に構成されている請求項２記載の機能性膜形成システム。
【請求項４】
機能性膜形成用塗料が一方の面に塗布された長尺帯状の支持体における当該機能性膜形成用塗料の塗布面に気体を吹き付けて当該機能性膜形成用塗料を乾燥させる乾燥方法であって、
長手方向に沿って走行状態の前記支持体における前記塗布面に対向するように配置された気体吹出し部から、前記塗布面に接する空間において前記支持体の走行方向における上流側に向かう気流が生じるように前記気体を吹き出させて当該気体を当該塗布面に吹き付ける乾燥方法。
【請求項５】
請求項４記載の乾燥方法に従って前記機能性膜形成用塗料を乾燥させることによって前記支持体の前記一方の面に機能性膜を形成する機能性膜形成方法。
【請求項６】
前記機能性膜形成用塗料としての光学膜形成用塗料を塗布して乾燥させることで前記機能性膜としての光学膜を形成する請求項５記載の機能性膜形成方法。
【発明の詳細な説明】
【技術分野】
【０００１】
本発明は、長尺帯状の支持体における一方の面に塗布された機能性膜形成用塗料を乾燥させる乾燥装置および乾燥方法、並びに、機能性膜形成用塗料を乾燥させて支持体の一方の面に機能性膜を形成する機能性膜形成システムおよび機能性膜形成方法に関するものである。
【背景技術】
【０００２】
例えば、特開２００８−３０２２９７号公報には、反射防止フィルム等を製造する製造装置（製造方法）が開示されている。この場合、上記公開公報に開示されている製造装置は、基材上に塗布膜を形成する（塗布液を塗布する）塗布装置、および塗布膜を乾燥させる乾燥装置を備えて構成されている。また、乾燥装置は、４つの乾燥ゾーンが設けられると共に、分離用整風部材によって分離された塗布膜搬送部および溶剤除去部が各乾燥ゾーン毎にそれぞれ設けられている。この製造装置では、長尺帯状の基材（支持体）を長手方向に沿って走行させつつ、塗布装置によって塗布液を塗布して塗布膜を形成すると共に、乾燥装置によって塗布膜を乾燥させることで、基材の一面に任意の光学膜を形成する構成（方法）が採用されている。
【０００３】
この場合、上記の乾燥装置では、塗布膜（基材）の走行方向と同一、かつ、平行な空気の流れを溶剤除去部内に生じさせる構成（乾燥方法）が採用されている。したがって、この乾燥装置では、各乾燥ゾーンの塗布膜搬送部内において塗布膜から蒸発した有機溶剤が、分離用整風部材に設けられた複数の孔を介して溶剤除去部へ移動したときに、この有機溶剤が溶剤除去部内における上記の空気の流れに乗って溶剤除去部内を移動して、塗布装置の外部に排出される。これにより、塗布膜搬送部内を走行させられている（搬送されている）基材上の塗布膜が乾燥して、基材の一面に光学膜が形成される。
【先行技術文献】
【特許文献】
【０００４】
【特許文献１】特開２００８−３０２２９７号公報（第４−１２頁、第１−４図）
【発明の概要】
【発明が解決しようとする課題】
【０００５】
ところが、従来の製造装置（製造方法）、およびその乾燥装置（乾燥方法）には、以下の解決すべき問題点が存在する。すなわち、従来の乾燥装置（乾燥方法）では、塗布膜搬送部内において塗布膜から蒸発した有機溶剤が溶剤除去部内に移動して、この有機溶剤が溶剤除去部内の空気の流れによって塗布装置の外部に排出される構成（方法）が採用されている。
【０００６】
この場合、上記公開公報の「発明を実施するための最良の形態」に記載されているように、基材が高速に走行させられている状態においては、基材の移動方向と同じ向きの空気の流れ（同伴流）が塗布膜搬送部内に生じる。このため、塗布膜から蒸発した有機溶剤が、この空気の流れに乗って基材の移動方向と同じ向きに塗布膜搬送部内を移動する結果、有機溶剤が順次蒸発して乾燥が進んだ塗布膜が位置する「乾燥ゾーンにおける下流側（搬出口側）」において、「乾燥ゾーンにおける上流側（搬入口側）」よりも、塗布膜から蒸発した有機溶剤の濃度が高くなる。したがって、従来の製造装置（製造方法）、およびその乾燥装置（乾燥方法）では、「乾燥ゾーンにおける下流側」において、有機溶剤の濃度が高い空気が塗布膜に接した状態となることで有機溶剤の蒸発が阻害されるのを回避するために、基材の走行速度を低下させたり、乾燥装置内の温度を十分に高くしたりする必要があり、これに起因して、光学膜の形成（塗布物の製造）に要するコストの低減が困難になっているという問題点がある。
【０００７】
また、この種の製造装置においては、塗布装置による塗布膜の形成（塗布液の塗布）を実行する塗布処理位置や、塗布装置と乾燥装置との間の搬送路の温度が、乾燥装置内よりも低温となっている。このため、この種の製造装置においては、基材の走行に伴い、塗布処理位置の低温の空気や、塗布装置と乾燥装置との間の搬送路の低温の空気が、基材と共に乾燥装置内（乾燥ゾーン内）に同伴流として進入する。この結果、溶剤の揮発を促進するために乾燥装置内を温度上昇させているにも拘わらず、乾燥装置内において、同伴流として進入した低温の空気が塗布膜に接した状態が維持されることがある。したがって、この種の製造装置では、塗布膜の各部において、低温の空気に接した状態が長時間に亘って維持される部位と、比較的短時間で低温の空気に代わって低湿高温の空気が接した状態となる部位とが生じ、これに起因して、溶剤の揮発の進行度合いにばらつきが生じて（乾燥むらが生じて）乾燥後の塗布膜の厚みにばらつきが生じる結果、この塗布膜で構成される光学膜に虹斑や波模様が生じることがあるという問題点が存在する。
【０００８】
本発明は、かかる問題点に鑑みてなされたものであり、製造コストの低減を図りつつ、虹斑や波模様の発生を好適に回避し得る乾燥装置および乾燥方法、並びに機能性膜形成システムおよび機能性膜形成方法を提供することを主目的とする。
【課題を解決するための手段】
【０００９】
上記目的を達成すべく、本発明に係る乾燥装置は、機能性膜形成用塗料が一方の面に塗布された長尺帯状の支持体における当該機能性膜形成用塗料の塗布面に気体を吹き付けて当該機能性膜形成用塗料を乾燥させる乾燥装置であって、長手方向に沿って走行状態の前記支持体における前記塗布面に対向するように配置された気体吹出し部を備え、前記気体吹出し部は、前記塗布面に接する空間において前記支持体の走行方向における上流側に向かう気流が生じるように前記気体を吹き出すことによって当該気体を当該塗布面に吹き付ける。
【００１０】
また、本発明に係る機能性膜形成システムは、上記の乾燥装置と、前記支持体を走行させる走行装置と、前記機能性膜形成用塗料を塗布する塗布装置とを備え、前記走行装置によって前記支持体を走行させている状態において、前記塗布装置によって当該支持体の前記一方の面に前記機能性膜形成用塗料を塗布すると共に、前記乾燥装置によって当該機能性膜形成用塗料を乾燥させることによって当該支持体の当該一方の面に機能性膜を形成する。
【００１１】
さらに、本発明に係る機能性膜形成システムは、前記機能性膜形成用塗料としての光学膜形成用塗料を塗布して乾燥させることで前記機能性膜としての光学膜を形成可能に構成されている。
【００１２】
また、本発明に係る乾燥方法は、機能性膜形成用塗料が一方の面に塗布された長尺帯状の支持体における当該機能性膜形成用塗料の塗布面に気体を吹き付けて当該機能性膜形成用塗料を乾燥させる乾燥方法であって、長手方向に沿って走行状態の前記支持体における前記塗布面に対向するように配置された気体吹出し部から、前記塗布面に接する空間において前記支持体の走行方向における上流側に向かう気流が生じるように前記気体を吹き出させて当該気体を当該塗布面に吹き付ける。
【００１３】
また、本発明に係る機能性膜形成方法は、上記の乾燥方法に従って前記機能性膜形成用塗料を乾燥させることによって前記支持体の前記一方の面に機能性膜を形成する。
【００１４】
さらに、本発明に係る機能性膜形成方法は、前記機能性膜形成用塗料としての光学膜形成用塗料を塗布して乾燥させることで前記機能性膜としての光学膜を形成する。
【発明の効果】
【００１５】
本発明に係る乾燥装置および乾燥方法によれば、長手方向に沿って走行状態の支持体における機能性膜形成用塗料の塗布面に対向するように配置した気体吹出し部から、塗布面に接する空間において支持体の走行方向における上流側に向かう気流が生じるように気体を吹き出させて機能性膜形成用塗料を乾燥させることにより、機能性膜形成用塗料の塗布面に纏わり付くようにして支持体と共に乾燥装置内に進入した低温の空気が、空気吹出し部から吹き出した低湿高温の空気によって塗布面から引き剥がされるため、機能性膜形成用塗料の塗膜が乾燥装置内に進入してから短時間のうちに、機能性膜形成用塗料の塗布面の全域に低湿高温の空気が接した状態となる。この結果、支持体の走行速度を低下させたり、乾燥装置内の温度（空気吹出し部から吹き出す空気の温度）を過剰に高温としたりすることなく、機能性膜形成用塗料の塗膜を、むらなく十分に乾燥させることができる。また、機能性膜形成用塗料の塗膜から揮発した溶剤の濃度が、乾燥装置内における支持体の走行方向の下流側において上流側よりも高くなる事態が回避されるため、乾燥装置内における走行方向の下流側において、乾燥が進んだ機能性膜形成用塗料の塗膜に、溶剤の濃度が高い空気が接した状態となるのが回避される結果、この点においても、機能性膜形成用塗料の塗膜を、むらなく十分に乾燥させることができる。
【００１６】
また、本発明に係る機能性膜形成システムおよび機能性膜形成方法によれば、上記の乾燥装置（乾燥方法）によって機能性膜形成用塗料を乾燥させることで支持体の一方の面に機能性膜を形成することにより、機能性膜形成用塗料の塗膜の全域が、むらなく十分に乾燥させられるため、虹斑や波模様が存在しない均一な膜厚の光学膜を形成することができる。
【００１７】
さらに、本発明に係る機能性膜形成システムおよび機能性膜形成方法によれば、機能性膜形成用塗料としての光学膜形成用塗料を塗布して乾燥させることで機能性膜としての光学膜を形成することにより、虹斑や波模様の存在が致命的な欠陥となり得る光学膜について、そのような欠陥が存在しない良品の光学膜を製造することができる。
【図面の簡単な説明】
【００１８】
【図１】光学膜形成システム１の構成を示す構成図である。
【図２】光学膜形成システム１における第１乾燥装置４の構成を示す構成図である。
【発明を実施するための形態】
【００１９】
以下、添付図面を参照して、本発明に係る乾燥装置（乾燥方法）および機能性膜形成システム（機能性膜形成方法）の実施の形態について説明する。
【００２０】
図１に示す光学膜形成システム１は、「機能性膜形成システム」の一例であって、本発明に係る「機能性膜形成方法」に従い、支持体１０の一方の面１１に、樹脂材料Ｒを塗布して乾燥させることにより、「機能性膜としての光学膜」の一例であるハードコート膜ＨＣを形成可能に構成されている。具体的には、この光学膜形成システム１は、走行装置２、塗布装置３、第１乾燥装置４、第２乾燥装置５および図示しない制御装置を備えて構成されている。この場合、支持体１０は、光透過性を有する樹脂材料（一例として、ＰＥＴ：PolyEthylene Terephthalate）によって厚み１４〜２００μｍ程度の長尺帯状に形成されている。また、ハードコート膜ＨＣを形成するための樹脂材料Ｒは、「機能性膜形成用塗料」としての「光学膜形成用塗料」の一例であって、本例では、アクリル樹脂等を主成分とする材料を溶剤で希釈した液で構成されている。
【００２１】
一方、走行装置２は、制御装置の制御に従い、ハードコート膜ＨＣを形成する支持体１０を巻回した繰出し側ロール（図示せず）から、ハードコート膜ＨＣの形成が完了した支持体１０を巻回する巻取り側ロール（図示せず）まで、支持体１０を矢印Ａの向きに走行させる装置であって、一例として、上記の繰出し側ロールや巻取り側ロールを回転させる回転機構を備えて構成されている。塗布装置３は、一例として、バーコート装置で構成されており、走行装置２によって走行させられる支持体１０の一方の面１１にバーを介して樹脂材料Ｒを転写することで一方の面１１に樹脂材料Ｒを塗布する。なお、「塗布装置」の構成はこれに限定されず、スリットダイコータ、グラビアコータおよびリバースグラビアコータ等の各種の塗布装置によって樹脂材料Ｒを塗布する構成（方法）を採用することができる。
【００２２】
第１乾燥装置４は、「乾燥装置」の一例であって、本発明に係る「乾燥方法」に従い、塗布装置３による樹脂材料Ｒの塗布が完了した支持体１０（一方の面１１に塗布された樹脂材料Ｒからなる塗膜）に向けて温風を吹き付けることにより、樹脂材料Ｒ（塗膜）に含まれている溶剤を揮発させて乾燥させる。具体的には、図２に示すように、第１乾燥装置４は、走行装置２によって走行させられる支持体１０の他方の面１２（樹脂材料Ｒの塗布面である一方の面１１の裏面）に接して支持体１０を支持する複数の支持ローラ４１と、支持体１０の一方の面１１に塗布された樹脂材料Ｒの表面（塗布面）に乾燥した空気（「気体」の一例）を吹き付ける複数のエア吹出し部４２（「気体吹出し部」の一例）と、各支持ローラ４１および各エア吹出し部４２を収容する筐体４３と、各エア吹出し部４２から吹き出す空気の温度を上昇させるヒータ（図示せず）とを備えて構成されている。
【００２３】
この第１乾燥装置４は、走行装置２によって走行させられた状態の支持体１０における樹脂材料Ｒの塗布面に対向するように各エア吹出し部４２が配置されると共に、樹脂材料Ｒの塗布面に接する空間（塗布面の近傍）において、支持体１０の走行方向における上流側に向かう気流（同図における左側に向かう気流：矢印Ｃの向きの気流）が生じるように空気を吹き出すように吹出口４２ａの向きが調整されている。
【００２４】
第２乾燥装置５は、第１乾燥装置４による乾燥処理が完了した樹脂材料Ｒの薄膜内に残留する溶剤を除去するための乾燥装置であって、一例として、支持体１０の一方の面１１（塗膜の表面）に対してほぼ垂直に空気を吹き付ける複数のエア吹出し部（図示せず）を備えている。
【００２５】
この光学膜形成システム１によって支持体１０の一方の面１１にハードコート膜ＨＣを形成する際には、まず、ハードコート膜ＨＣを形成する支持体１０が巻回された繰出し側ロールから支持体１０の一端部を繰り出して、この一端部を、塗布装置３による塗布処理位置、第１乾燥装置４内、および第２乾燥装置５内をこの順で通過させて、巻取り側ロールにセットする。次いで、図示しない操作部の操作によって処理開始を指示する。この際には、制御装置が、光学膜形成システム１の各部を制御することにより、走行装置２による支持体１０の走行、塗布装置３による樹脂材料Ｒの塗布、第１乾燥装置４による樹脂材料Ｒ（塗膜）の乾燥、および第２乾燥装置５による樹脂材料Ｒ（塗膜）の乾燥の各処理を開始させる。
【００２６】
この際に、塗布装置３による塗布処理位置においては、バーを介して樹脂材料Ｒが転写されることにより、支持体１０における一方の面１１の幅方向の全域に一定の膜厚の塗膜が形成される。また、樹脂材料Ｒの塗布が完了した支持体１０は、第１乾燥装置４内および第２乾燥装置５内を順次通過させられる際に、塗膜内の溶剤が揮発させられる。この場合、塗布装置３による樹脂材料Ｒの塗布処理位置や、塗布処理位置と第１乾燥装置４による乾燥処理位置との間（塗布装置３と第１乾燥装置４との間）の空気は、第１乾燥装置４内（筐体４３内）の空気の温度よりも低温となっている。また、走行装置２によって支持体１０が走行させられている状態においては、第１乾燥装置４よりも上流側の低温の空気が、支持体１０と共に第１乾燥装置４内に同伴流として進入する。
【００２７】
この場合、この光学膜形成システム１における第１乾燥装置４では、図２に示すように、各エア吹出し部４２の吹出口４２ａから矢印Ｂの向きで（支持体１０における樹脂材料Ｒの塗布面との間でなす角度（下流側の角度）が鋭角となるように）空気が吹き出され、この空気が、走行装置２によって矢印Ａの向きに走行させられている支持体１０における樹脂材料Ｒの塗布面に向けて吹き付けられる。この結果、第１乾燥装置４内を走行させられている支持体１０の一方の面１１に接している空間（樹脂材料Ｒの塗布面の近傍）に、支持体１０の走行方向である矢印Ａの向きとは逆向きの矢印Ｃの向きの気流（「走行方向における上流側に向かう気流」）が発生する。したがって、支持体１０の走行に伴って支持体１０と共に矢印Ａの向きで第１乾燥装置４内に進入した低温の空気（同伴流）に対して、この空気の流れに逆行する矢印Ｃの向きの気流が当接する。
【００２８】
これにより、樹脂材料Ｒの塗布面に纏わり付くようにして支持体１０と共に移動する低温の空気が支持体１０の幅方向の全域において塗布面から剥がされて（塗布面から離脱して）、代わりに、矢印Ｃの向きで移動する低湿高温の空気が塗布面に接することとなる。したがって、樹脂材料Ｒの塗膜が第１乾燥装置４内に進入してから比較的短時間のうちに、各エア吹出し部４２の吹出口４２ａから吹き出された低湿高温の空気が樹脂材料Ｒの塗布面の全域に接した状態となる。これにより、樹脂材料Ｒの塗膜からの溶剤の揮発が促進されると共に、樹脂材料Ｒの塗布面の各部において乾燥の進行度合いにばらつきが生じる事態が回避される。この結果、この第１乾燥装置４内において樹脂材料Ｒの塗膜が、むらなく十分に乾燥させられる。
【００２９】
また、この第１乾燥装置４では、樹脂材料Ｒの塗膜から揮発した溶剤が、支持体１０の走行方向である矢印Ａの向きに逆行する矢印Ｃの向きの気流に乗って第１乾燥装置４内を移動させられる。したがって、「第１乾燥装置４における下流側」の溶剤の濃度が、「第１乾燥装置４における上流側」の溶剤の濃度よりも高くなる事態が回避されるため、溶剤が順次蒸発して乾燥が進んだ樹脂材料Ｒの塗膜が位置する「第１乾燥装置４における下流側」において、溶剤の濃度が高い空気が樹脂材料Ｒの塗膜に接した状態となるのが回避される。これにより、支持体１０の走行速度を低下させたり、第１乾燥装置４内の温度を過剰に高くしたりすることなく、「第１乾燥装置４における下流側」における溶剤の蒸発が阻害される事態が回避される。この結果、支持体１０の一方の面１１における幅方向の全域において、樹脂材料Ｒの塗膜が、むらなく十分に乾燥させられる。
【００３０】
この後、第２乾燥装置５内における乾燥処理によって樹脂材料Ｒの塗膜内の残留溶剤が完全に揮発させられて、支持体１０の一方の面１１に樹脂材料Ｒ（塗膜）が硬化したハードコート膜ＨＣが形成される。また、ハードコート膜ＨＣの形成が完了した支持体１０は、巻取り側ロールに巻回される。以上により、光学膜形成システム１によるハードコート膜ＨＣの形成処理が完了する。
【００３１】
このように、この光学膜形成システム１における第１乾燥装置４、および第１乾燥装置４による乾燥方法によれば、長手方向に沿って走行状態の支持体１０における樹脂材料Ｒの塗布面に対向するように配置したエア吹出し部４２から、塗布面に接する空間において支持体１０の走行方向における上流側に向かう矢印Ｃの向きの気流が生じるように空気を吹き出させて樹脂材料Ｒを乾燥させることにより、樹脂材料Ｒの塗布面に纏わり付くようにして支持体１０と共に第１乾燥装置４内に進入した低温の空気が、エア吹出し部４２から吹き出した低湿高温の空気によって塗布面から引き剥がされるため、樹脂材料Ｒの塗膜が第１乾燥装置４内に進入してから短時間のうちに、樹脂材料Ｒの塗布面の全域に低湿高温の空気が接した状態となる。この結果、走行装置２による支持体１０の走行速度を低下させたり、第１乾燥装置４内の温度（エア吹出し部４２から吹き出す空気の温度）を過剰に高温としたりすることなく、樹脂材料Ｒの塗膜を、むらなく十分に乾燥させることができる。また、樹脂材料Ｒの塗膜から揮発した溶剤の濃度が、第１乾燥装置４内における支持体１０の走行方向の下流側において上流側よりも高くなる事態が回避されるため、第１乾燥装置４内における走行方向の下流側において、乾燥が進んだ樹脂材料Ｒの塗膜に、溶剤の濃度が高い空気が接した状態となるのが回避される結果、この点においても、樹脂材料Ｒの塗膜を、むらなく十分に乾燥させることができる。
【００３２】
また、この光学膜形成システム１、および光学膜形成システム１による機能性膜形成方法（ハードコート膜ＨＣの形成方法：光学膜形成方法）によれば、上記の第１乾燥装置４（第１乾燥装置４による乾燥方法）によって樹脂材料Ｒを乾燥させることで支持体１０の一方の面にハードコート膜ＨＣを形成することにより、樹脂材料Ｒの塗膜の全域が、むらなく十分に乾燥させられるため、虹斑や波模様が存在しない均一な膜厚のハードコート膜ＨＣを形成することができる。
【００３３】
さらに、この光学膜形成システム１、および光学膜形成システム１による機能性膜形成方法（ハードコート膜ＨＣの形成方法：光学膜形成方法）によれば、「機能性膜形成用塗料」としての「光学膜形成用塗料（この例では、樹脂材料Ｒ）」を塗布して乾燥させることで「機能性膜」としての「光学膜（この例では、ハードコート膜ＨＣ）」を形成することにより、虹斑や波模様の存在が致命的な欠陥となり得る「光学膜」について、そのような欠陥が存在しない良品の「光学膜」を製造することができる。
【００３４】
なお、「乾燥装置」や「機能性膜形成システム」の構成、および「乾燥方法」や「機能性膜形成方法」は、上記の例に限定されない。例えば、「光学膜」の一例であるハードコート膜ＨＣの形成を例に挙げて説明したが、「光学膜」はこれに限定されず、反射防止膜（ＡＲ膜）、防眩膜（ＡＧ膜）、ＩＴＯ膜および拡散膜などの各種光学膜の形成に際して、上記の光学膜形成システム１（第１乾燥装置４）の構成、および光学膜形成システム１（第１乾燥装置４）による方法を採用することができる。また、第１乾燥装置４内において樹脂材料Ｒの塗布面に乾燥した空気（温風）を吹き付ける例について説明したが、空気以外の各種気体（一例として、窒素等）を塗布面に吹き付けて乾燥させる構成（方法）を採用することができる。また、「機能性膜」は上記の「光学膜」に限定されず、例えば、磁性記録層を構成する磁性膜、電極およびグリーンシート等の各種の「機能性膜」の形成に本発明を適用することができる。
【符号の説明】
【００３５】
１  光学膜形成システム
２  走行装置
３  塗布装置
４  第１乾燥装置
１０  支持体
１１  一方の面
１２  他方の面
４２  エア吹出し部
４２ａ  吹出口
ＨＣ  ハードコート膜
Ｒ  樹脂材料
【図１】
2012215325.tif 000003
【図２】
2012215325.tif 000004